【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
教師データを用いて判別を行う判別ロジックを用いて、患者が撮影された医用画像から異常陰影候補を検出する異常陰影候補検出手段を備えた医用画像処理装置において、
異常陰影候補の検出時に用いられる教師データを更新可能に保存する教師データ保存手段と、
医用画像及び異常陰影候補の検出結果を表示する表示手段と、
前記表示手段に表示された医用画像上で前記教師データとして登録すべき領域を指定する領域指定手段と、
前記指定された領域の画像を教師データとして前記教師データ保存手段に保存させるデータ制御手段と、
前記教師データ保存手段に保存された教師データに基づいて、前記異常陰影候補検出手段における判別ロジックを補正するロジック補正手段と、
を備えることを特徴とする医用画像処理装置。
【請求項２】
前記データ制御手段は、医用画像の読影を行うユーザ毎に教師データを教師データ保存手段に保存させることを特徴とする請求項１に記載の医用画像処理装置。
【請求項３】
前記データ制御手段は、教師データを複数のカテゴリに分類して教師データ保存手段に保存させることを特徴とする請求項１又は２に記載の医用画像処理装置。
【請求項４】
前記教師データが分類されるカテゴリは、正常症例、異常症例のカテゴリ、正常症例、異常良性症例、異常悪性症例のカテゴリ、若しくは検出候補、非検出候補のカテゴリであることを特徴とする請求項３に記載の医用画像処理装置。
【請求項５】
前記教師データ保存手段において教師データが分類されたカテゴリを変更する変更手段を備え、
前記ロジック補正手段は、前記変更手段によりカテゴリが変更された後の教師データに基づいて補正ロジックを補正することを特徴とする請求項３又は４に記載の医用画像処理装置。
【請求項６】
前記変更手段によりカテゴリが変更された際の変更履歴情報を保存する履歴保存手段を備え、
前記変更手段は、教師データのカテゴリを変更後、当該教師データのカテゴリを変更前のカテゴリに戻すことを指示されると、前記履歴保存手段に保存された変更履歴情報に基づいて教師データのカテゴリを変更前のカテゴリに変更することを特徴とする請求項５に記載の医用画像処理装置。
【請求項７】
前記教師データ保存手段に保存された教師データを削除する削除手段を備え、
前記履歴保存手段は、前記削除手段により教師データが削除された際の履歴情報を保存し、
前記変更手段は、教師データを削除後、当該教師データの削除を取り消す旨が指示されると、前記履歴保存手段に保存された履歴情報に基づいて削除された教師データを元の保存状態に戻すことを特徴とする請求項６に記載の医用画像処理装置。
【請求項８】
前記ロジック補正手段は、前記削除手段により教師データが削除されると、当該削除された教師データを除く他の教師データに基づいて判別ロジックを補正することを特徴とする請求項７に記載の医用画像処理装置。
【請求項９】
前記領域指定手段は、前記表示手段に表示された医用画像上で、ユーザにより選択された任意のポイントに基づいて領域を指定することを特徴とする請求項１〜８の何れか一項に記載の医用画像処理装置。
【請求項１０】
前記領域指定手段は、前記表示手段に表示された医用画像上で、ユーザにより選択された任意のポイントの周辺領域で動的輪郭抽出法により抽出された輪郭内の領域を指定することを特徴とする請求項９に記載の医用画像処理装置。
【請求項１１】
複数の医用画像処理装置において用いられる教師データを更新可能に保存する教師データ保存手段を備えたサーバと通信する通信手段を備え、
前記データ制御手段は、医用画像処理装置が備える教師データ保存手段に保存された教師データを前記通信手段により前記サーバに送信させ、サーバの教師データ保存手段に保存させることを特徴とする請求項１〜１０の何れか一項に記載の医用画像処理装置。
【請求項１２】
前記データ制御手段は、前記サーバの教師データ保存手段に保存された教師データを要求する要求情報を前記通信手段によりサーバに送信させてサーバから教師データを取得し、当該取得された教師データを医用画像処理装置が備える教師データ保存手段に保存させることを特徴とする請求項１１に記載の医用画像処理装置。
【請求項１３】
前記表示手段は、サーバから教師データを取得する際にサーバが備える教師データ保存手段に保存された教師データを選択的に表示することを特徴とする請求項１２に記載の医用画像処理装置。
【請求項１４】
前記異常陰影候補検出手段による異常陰影候補の検出結果の情報を、その検出に使用された教師データの情報と対応付けて保存する検出結果保存手段を備えることを特徴とする請求項１〜１３の何れか一項に記載の医用画像処理装置。
【請求項１５】
教師データを用いて患者が撮影された医用画像から異常陰影候補を検出する異常陰影候補検出手段を備えた医用画像処理装置と、サーバとが通信接続された医用画像処理システムにおいて、
前記医用画像処理装置は、
異常陰影候補の検出時に用いられる教師データを更新可能に保存する教師データ保存手段と、
医用画像とともに異常陰影候補の検出結果を表示する表示手段と、
前記表示手段に表示された医用画像上で前記教師データとして登録すべき領域を指定する領域指定手段と、
前記指定された領域の画像を教師データとして前記教師データ保存手段に保存させるとともに、サーバが備える教師データ保存手段に保存させるデータ制御手段と、を備え、
前記サーバは、
前記医用画像処理装置において用いられる教師データを更新可能に保存する教師データ保存手段を備えることを特徴とする医用画像処理システム。
【請求項１６】
前記サーバは、前記医用画像処理装置からの要求に応じてサーバの教師データ保存手段に保存された教師データを前記医用画像処理装置に提供する提供手段と、
前記医用画像処理装置のデータ制御手段は、前記サーバが備える教師データ保存手段に保存された教師データを要求する要求情報をサーバに送信してサーバから教師データを取得し、当該取得された教師データを医用画像処理装置が備える教師データ保存手段に保存させることを特徴とする請求項１５に記載の医用画像処理システム。
【請求項１７】
前記医用画像処理装置のデータ制御手段は、教師データの要求情報とともに要求を行ったユーザのユーザ情報をサーバに送信してサーバから教師データを取得し、
前記サーバにおいて、前記提供手段により提供された教師データ数に応じて、その教師データの要求を行ったユーザ毎に課金する課金手段を備えることを特徴とする請求項１６に記載の医用画像処理システム。
【請求項１８】
前記異常陰影候補検出手段による異常陰影候補の検出結果の情報を、その検出に使用された教師データの情報と対応付けて保存する検出結果保存手段を備えることを特徴とする請求項１５〜１７の何れか一項に記載の医用画像処理システム。
【請求項１９】
コンピュータを、
請求項１〜１４の何れか一項に記載の医用画像処理装置として機能させるためのプログラム。
【手続補正２】
【補正対象書類名】明細書
【補正対象項目名】発明の名称
【補正方法】変更
【補正の内容】
【発明の名称】医用画像処理装置、医用画像処理システム及びプログラム
【手続補正３】
【補正対象書類名】明細書
【補正対象項目名】０００１
【補正方法】変更
【補正の内容】
【０００１】
本発明は、医用画像を解析して異常陰影の候補領域を検出する医用画像処理装置、医用画像処理システム及びプログラムに関する。
【手続補正４】
【補正対象書類名】明細書
【補正対象項目名】００２４
【補正方法】変更
【補正の内容】
【００２４】
請求項１８に記載の発明は、請求項１５〜１７の何れか一項に記載の医用画像処理システムにおいて、
前記異常陰影候補検出手段による異常陰影候補の検出結果の情報を、その検出に使用された教師データの情報と対応付けて保存する検出結果保存手段を備えることを特徴とする。
請求項１９に記載の発明は、
コンピュータを、
請求項１〜１４の何れか一項に記載の医用画像処理装置として機能させるためのプログラムであることを特徴とする。
【手続補正５】
【補正対象書類名】明細書
【補正対象項目名】００２５
【補正方法】変更
【補正の内容】
【００２５】
請求項１、１９に記載の発明によれば、登録すべき教師データとして指定された領域の画像を教師データ保存手段に保存し、教師データ保存手段に保存された教師データ群に基づいて、判別ロジックの補正を行うので、症例として追加したい教師データを新たに登録して最適な判別ロジックを作成することができる。従って、異常陰影候補の検出条件をユーザに応じてカスタマイズすることができ、例えば病院で専門とする分野の症例を増やす等して異常陰影候補検出の専門性を高めることができる。